(57)【要約】      （修正有）【課題】鈴棒でたたく力により鈴が動くことを防止するだけでなく、鈴の振動音の鳴り時間を長くする仏事用鈴を提供する。【解決手段】台座と支柱と仏事用鈴とからなり、支柱の一端を台座に取り付け、他端に仏事用鈴を取り付けて、仏事用鈴と台座とを離して、仏事用鈴を台座に連結させる。さらには鈴の外壁面、内壁面あるいはいずれかの壁面にバネを付けて、鈴の振動音の鳴り時間を長くしまた音色を変化させる。【選択図】図７
0003159238.tif 000002
【実用新案登録請求の範囲】
【請求項１】
台座と支柱と仏事用鈴とからなり、支柱の一端を台座に取り付け、他端に仏事用鈴を取り付けて、仏事用鈴と台座とを離して、仏事用鈴を台座に連結させた、台座付き仏事用鈴。
【請求項２】
支柱の一端を仏事用鈴の頂点の外壁面又は内壁面から取り付けた請求項１の台座付き仏事用鈴。
【請求項３】
仏事用鈴の頂点の外壁面と内壁面又はいずれかの壁面にバネを付けて、仏事用鈴を支柱に取り付けた請求項１又は請求項２のいずれかの台座付き仏事用鈴。
【請求項４】
支柱をバネとした請求項１又は、請求項２の台座付き仏事用鈴。
【請求項５】
台座の底面に滑り止めを付けた請求項１ないし請求項４のいずれかの台座付き仏事用鈴。
【考案の詳細な説明】
【技術分野】
【０００１】
本考案は、仏壇に備える仏事用鈴に関する。
【背景技術】
【０００２】
仏壇に備える仏事用鈴（リン）は、金属製であって、図１のようにおわん形であり、開口部１１を上にして専用の座布団２の上に置いて使用されるのが一般的である。この仏事用鈴１は、仏鈴、あるいはおりんと称されることもあるが、ここでは仏事用鈴とし、また鈴とした場合にも、仏事用鈴を意味するものとする。この鈴を鈴棒で鳴らしていると、鈴棒の叩く力で鈴が動いてしまい、その都度鈴を元の位置に戻したりする必要がある。また鈴は、座布団上に置かれているため、鈴棒で鈴を叩いて鳴らしときの鈴の振動が、この座布団に吸収され、その振動音が長続きしない等という課題があった。
【０００３】
上記のような課題に対し、以下のような先行技術が見受けられる。椀状で底面が曲面状をなす鈴の内側に、磁石を載置し、鈴を置く箇所には磁石の磁力が及ぶ範囲に磁性部材を備え、鈴を動き難くした仏鈴（特許文献１）、椀状をなす鈴と、鈴を載せる鈴台とから構成し、鈴は、鈴台との接触箇所が球面状をなすと共に、該接触箇所又は全体が磁性を有する素材で形成してあり、さらに鈴台は、鈴を吸引可能な箇所に磁石を備え、鈴を動き難くした仏鈴（特許文献２）等がある。また、仏壇に御参りする際にリン棒で叩いて音を出す器状の金属製のおりんと、これを支えるリン台とからなり、おりんの底面中央部に、リン台とを一体に連結する連結手段を備え、動き難く、音が長続きする高台リン（特許文献３）、おりん本体部とおりん台部とを弾性を有する連結部材にて連結しておりん本体部とおりん台部とに間隙を設け、弾性振動している反響音の鳴り時間を長くできるおりん（特許文献４）等がある。
【先行技術文献】
【特許文献】
【０００４】
【特許文献１】特許公開２００７−１５９７８７号公報
【特許文献２】特許公開２００５−２１１４３７号公報
【特許文献３】登録実用新案第３０５４６０７号
【特許文献４】特許公開２００６−３２６１１５号公報
【０００５】
特許文献１、２では、鈴棒でたたく力により鈴が動くことを防止することを目的とするものであり、特許文献３、４では、鈴棒でたたく力により鈴が動くことを防止するだけでなく、反響音の鳴り時間を長くできる効果も記載されている。しかし、特許文献４では、鈴と台座の間に間隙を有しているが、鈴の開口部は、おりん台部と水平に置かれており、さらに、おりんとおりん台部の連結法については言及されていない。
【０００６】
長年楽器部品の製造を業とし、自宅にも仏壇が設けられている本考案者は、鈴を座布団上に置く必要はなく、又鈴の開口部が台座と必ずしも平行である必要はないことを住職から聞いていた。そこで、本考案者は、使い方やデザインの面から、台座と鈴を連結する支柱及び、その支柱と鈴の取り付け等を工夫して、鈴を叩いたときに動き難く、また鈴の振動音が長くなり、安堵感を与える音色が出るようにした台座付きの仏事用鈴を考案した。
【考案の概要】
【考案が解決しようとする課題】
【０００７】
解決しようとする課題は、鈴棒でたたく力により鈴が動くことを防止するだけでなく、鈴の振動音の鳴り時間を長くし、安堵感を与える音色が出るようにする仏事用鈴を提供することである。
【課題を解決するための手段】
【０００８】
すなわち、第１考案は、台座と支柱と仏事用鈴とからなり、支柱の一端を台座に取り付け、他端に仏事用鈴を取り付けて、仏事用鈴と台座とを離して、仏事用鈴を台座に連結させた、台座付き仏事用鈴である。
【０００９】
台座は、仏壇等の床面に置かれ、鈴棒で鈴を叩いても動き難く、支柱を介して鈴を台座と離して、台座と鈴を連結させることにより、鈴の鳴る時間を長くしたものである。
台座は、動き難く、又鈴を支えるおもりとしての機能も兼ねているため金属製であることが好ましい。鈴は、主に真鍮が使用されるが、振動音が生じやすい金属であれば、その種類は問わない。支柱は、鈴と台座を離して、鈴と台座を連結させるものであり、鈴の振動音を長くさせる機能も果たし、弾性体の金属製であることが望まれる。台座に支柱を、支柱に仏事用鈴を取り付けるナット等の取り付け部品も使用される。なお、支柱を介して台座と鈴を連結したものを台座付き仏事用鈴とする。
【００１０】
続いて、第２考案は、支柱の一端を仏事用鈴の頂点の外壁面又は内壁面から取り付けた第１考案の台座付き仏事用鈴である。
【００１１】
図２に仏事用鈴１の各部の名称を示す。仏事用鈴は、おわん形であり、鈴の頂点１２とは、おわんの底の中央部をいう。鈴の内壁面１４又は鈴の外壁面１３の頂点１２に支柱５の一端を取り付け、他の一端を台座４に取り付けて、台座と鈴を離して、鈴を台座に取り付けるものである。外壁面又は内壁面からとしたのは、支柱を単に外壁面又は内壁面に取り付けるだけではなく、鈴の頂点に孔を設け、外壁面から内壁面へあるいはその逆に、孔に連結部品を通して、鈴を支柱に取り付ける場合もあるためである。
【００１２】
図３は、仏事用鈴１の内壁面１４の頂点１２に支柱５を介して仏事用鈴１を台座４に連結させた台座付き仏事用鈴７の概略図である。図３では、鈴１は、その開口部１１が、台座４と略水平あるいは垂直に支柱５に取り付けられているが、これに限るものではなく、支柱への取り付け角度は任意である。
図４は、仏事用鈴の外壁面の頂点に支柱を介して仏事用鈴を台座に取り付けた台座付き仏事用鈴の概略図である。前記と同様、支柱への取り付け角度は任意である。
【００１３】
鈴の支柱への取り付け方法としては、鈴の頂点と支柱の一端に孔を開け、ボルト・ナットで両者を固定して取り付ける方法他多々あるが取り付け方法は自由である。
【００１４】
続いて、第３考案は、仏事用鈴の頂点の外壁面と内壁面又はいずれかの壁面にバネを付けて、仏事用鈴を支柱に取り付けた第１考案又は第２考案のいずれかの台座付き仏事用鈴である。
【００１５】
仏事用鈴の頂点の外壁面と内壁面又はいずれかの壁面にバネを付けるのは、鈴棒で鈴を叩いて鳴らしたときの鈴の振動音をバネに伝え、振動音の鳴る時間をより長くするためである。
バネは、鈴の大きさとの関係上、鈴の頂点の外壁面と内壁面の両方に付ける場合、又は、いずれか１方の壁面に付ける場合もある。さらに、バネの強さや大きさは、鈴の振動音を長くさせる、あるいは音色との関係で選択できる。
【００１６】
続いて、第４考案は、支柱をバネとした第１考案又は、第２考案の台座付き仏事用鈴である。
【００１７】
第１考案又は第２考案の支柱の代わりに、支柱を兼ねたバネを用い、バネの一端を台座に、他の一端を仏事用鈴に取り付け、台座と鈴を離して、台座と鈴を連結するものである。
第４考案では、支柱を使用せずバネしか使用しない点で、バネだけでなく支柱も使用している第３考案と異なる。仏事用鈴を載せることができ、又これを載せて変形しない強度を有するバネは多くあり、これを支柱の代わりに使用し、第３考案と同様に、鈴の振動音をバネに伝え、振動音の鳴る時間をより長くするようにしたものである。又鈴の振動音によりバネを選択できることは、第３考案と同じである。
【００１８】
続いて、第５考案は、台座の底面に滑り止めを付けた第１考案から第４考案までのいずれかの台座付き仏事用鈴である。
【００１９】
仏事用鈴を鈴棒で叩いても台座付き仏事用鈴が動かないようにするためである。
【考案の効果】
【００２０】
第１考案では台座と鈴を離して、鈴を台座に取り付けるため、鈴の振動音を長くさせ、さらに安堵感を与えるような鈴の音色を生ずることができる。第２考案では、仏事用鈴の種類により、支柱に鈴を取り付ける角度により音色が変化すること、さらに仏事用鈴の意匠性も考慮したものである。第３考案では、鈴の振動音を、バネの付勢により、長く鳴らすことができるとともに、バネの選択により鈴の音色を変えることができる。第４考案では仏事用鈴の構造を簡単にできるだけでなく、鈴の振動音をさらに長くすることができ、又第３考案と同様に、バネの選択により鈴の音色を変えることができる。
第５考案では、鈴を叩いても仏事用鈴を動き難くるためである。
【図面の簡単な説明】
【００２１】
【図１】図１は、座布団付きの仏事用鈴と鈴棒の写真である。
【図２】図２は、仏事用鈴の各部の名称を示した図である。
【図３】図３は、仏事用鈴の内壁面の頂点に支柱を介して仏事用鈴を台座に取り付けた台座付き仏事用鈴の概略図である。
【図４】図４は、仏事用鈴の外壁面の頂点に支柱を介して仏事用鈴を台座に取り付けた台座付き仏事用鈴の概略図である。
【図５】図５は仏事用鈴の試作品の正面図と背面図である。
【図６】図６は図５の仏事用鈴の内壁面にバネを付けたものである。
【図７】図７は、鈴の外壁面と内壁面とにバネを付けた仏事用鈴である。
【図８】図８は、バネを支柱とした仏事用鈴である。
【考案を実施するための形態】
【００２２】
本考案の実施例を以下に示す。
【実施例１】
【００２３】
図５は、試作品の正面図（１）と背面図（２）である。支柱５により台座４と鈴１が連結されている。支柱５は台座４に取り付け部品６１で、鈴１は、取り付け部品６１で鈴の外壁面からその頂点の孔１５を通し、支柱５に取り付けられている。鈴の開口部１１は、台座４に対し垂直よりやや上向きに支柱５に取り付けられている。
【００２４】
図６は図５の試作品の内壁面にバネ１６を付けた台座付き仏事用鈴７である。バネ１６は、鈴の頂点の孔を通した支柱と鈴の取り付け部品６１であるボルトを通し、ナットで留められている。
【００２５】
図７は、鈴１の外壁面と内壁面の両壁面にバネ１６が付けられた台座付き仏事用鈴７である。
両方のバネ１６は、鈴の支柱への取り付け部品である６１のボルトに通されて付けられている。鈴の内壁面に付けられたバネは、鈴の支柱への取り付け部品である６１のナットの移動により、その強度を変えることができ、鈴の振動音の長さや音色を調整することも可能である。
【実施例２】
【００２６】
図８は、支柱の代わりとなるバネ５１を使用した台座付き仏事用鈴７である。このバネ５１は、台座４と鈴１の内壁面を連結させている。このバネも自由に選択でき、鈴の鳴る時間を長くしたり、音色を変化させることができる。
【産業上の利用可能性】
【００２７】
これまでの仏事用鈴の常識を変化させ、鈴の鳴る時間や音色を変え、さらに安堵感を与えることもでき、需要が期待できると思われる。
【符号の説明】
【００２８】
１  仏事用鈴  １１  鈴の開口部  １２  鈴の頂点    １３  鈴の外壁面  
１４  鈴の内壁面  １５  鈴の頂点の孔  １６  仏事用鈴に付けるバネ
２  座布団  
３  鈴棒
４  台座    
５  支柱    ５１  支柱の代わりとなるバネ  
６  滑り止め    ６１    台座と支柱、支柱と仏事用鈴の取り付け部品
７  台座付き仏事用鈴
【図１】
0003159238.tif 000003
【図２】
0003159238.tif 000004
【図３】
0003159238.tif 000005
【図４】
0003159238.tif 000006
【図５】
0003159238.tif 000007
【図６】
0003159238.tif 000008
【図７】
0003159238.tif 000009
【図８】
0003159238.tif 000010